(57)【特許請求の範囲】
【請求項１】
上顎プレートと、下顎プレート及びこれらを連結する連結器具とから成り、前記上顎プレートは、Ｕ字形をした上顎プレート本体の中央部に位置する、指導描記板に軌跡を形成する指導支柱スタッドを連結するための下方に開口された連結孔及び連結器具を連結するための下方に開口されたスタッド取付孔と、上顎プレート本体の中央部の前方に延出された前端部の先端に位置する、指導描記板に軌跡を形成する、描記ピン、描記板形成用ピン及び顎固定ピンの内のいずれかを取付けるための下向きに開口された描記ピン取付孔と、上顎プレート本体のＵ字形の後端部に位置する、対称的にそれぞれ下向きに突設されて二個の運動路を形成する補助スタッドとを備え、
前記下顎プレートは、Ｕ字形をした下顎プレート本体の中央部に位置する、指導描記板又は連結器具を連結するための連結孔と、下顎プレート本体のＵ字形の後端部に位置する、対称的にそれぞれ設けられた運動路形成テーブルとを備え、
前記連結器具は、上顎プレートと連結するためのスタッドを備えた上顎プレート連結部と、下顎プレートと連結するためのスタッドを備えた下顎プレート連結部と、上顎プレート連結部と下顎プレート連結部とを連結するためのプレート間隔固定ネジとを備え、
前記上顎プレートに設けられた、連結孔、スタッド取付孔、描記ピン取付孔及び前記下顎プレートに設けられた連結孔、描記ピン、描記板形成用ピン、顎固定ピンそれぞれ全部がマグネットによって形成されていることを特徴とする口腔記録装置。
【発明の詳細な説明】
【０００１】
【発明の属する技術分野】
本発明は、歯科臨床において、顎の中心関係および顎運動の記録を行う際に用いる口腔内記録装置に関する。
【０００２】
【従来の技術】
昨今の歯科臨床において、インプラントやセラミックなどの最先端材料の歯科補綴物を用いたケースが多くなると共に、顎の動きや、顎が安定する位置を正確に測定、記録することの必要性が認識されてきている。また、歯科補綴物が装着された口腔内の健康を長期間維持させるうえでも、顎の動きや、顎が安定する位置を正確に測定、記録することが歯科補綴物の製作にあたって不可欠の条件となっている。
【０００３】
この顎の中心関係および下顎の運動の測定、記録法で用いられている代表的なものには、チェックバイト法、パントグラフ法、チューイン法がある。なかでも描記装置を用いたチェックバイト法は最も広く採用されている測定、記録方法である。
【０００４】
このチェックバイト法に用いられる描記装置は、上顎に描記ピンを取付け、さらに下顎に平面の描記板を取付ける様式の装置であり、下顎を前方、側方へ誘導させることによって描記板上に水平的な下顎運動路を描くことが可能となっている。この下顎運動路は、一つの頂点を持つ矢尻状の三本の線で構成され、この描記図はゴシックアーチと呼ばれている。
【０００５】
顎の中心関係の記録および下顎運動の記録はこのゴシックアーチに基づいて、チェックバイト法によってパラフィンワックスなどに記録される。顎の中心関係および下顎運動を精密に記録するためには、このゴシックアーチを高い精度で描記する必要がある。
【０００６】
特公昭５９−１８０５３号公報（特許第１２４５６９２号）に示された口腔内記録装置では、無歯顎患者のみならず、局部床義歯の症例や、有歯顎患者の症例においても正確な記録を行い得るものとして知られ、歯科臨床において多く用いられている。
【０００７】
この公報に示された口腔内記録装置は、図５及び図６に示す上顎プレートＡと、図８及び図１０に示す下顎プレートＢと、図１２に示す連結器具Ｃとから構成されており、図１３、図１４に示すように口腔内に装着されてゴシックアーチの描記と、チェックバイトの採得が行われる。
【０００８】
図５に示す上顎プレートＡは、Ｕ字形をした上顎プレート本体ａのほぼ中央に下向きに突設され、かつ突端に回転球４を有する指導支柱スタッド２と、上顎プレート本体ａの後端部に対称的にそれぞれ下向きに設けられた二個の補助スタッド３、３および上顎プレート本体ａの前端部ｅに下向きに突設され円筒状保持部２４を有するピン装置ｆを備えている。
【０００９】
図６は、図５ＩＩＡ−ＩＩＡの断面を示す。図６によれば、顎運動の誘導を行い垂直顎間隔距離を保持するために、自由に長さを調節できる前記支柱スタッド２と、長さを調節したところで指導支柱スタッド２を固定するスタッド固定ネジ８が設けられている。又、前記ピン装置ｆの中空な円筒状保持部２４にはゴシックアーチを描記するための描記ピン１が着脱可能に取付けられ、この描記ピン１を固定するためのピン保持装置ｈが設けられている。
【００１０】
図７は前記ピン装置ｆの要部を示す。図７に示す如く前記ピン保持装置ｈは、描記ピン１を押さえるピンストッパー５及び弾力材６、弾力材止ネジ７により構成されている。又、描記ピン１の外周には下向きの圧力を保持するピン用スプリング２３が取付けられている。
【００１１】
図８は下顎プレートＢを後方から示した正面図である。図８に示すように下顎プレートＢは、下顎プレート本体ｂと記録床連結部ｄから成る。下顎プレート本体ｂは、その先端部に設けられた描記板９ａを取付けるための描記テーブル９と、中央部に設けられ指導板１０ａを取付けるための指導テーブル１０とを備え、Ｕ字形の記録床連結部ｄは、その後端部に対称的にそれぞれ設けられた運動路記録１１ａを取付けるための運動路形成テーブル１１、１１の二個のテーブルを備えている。下顎プレート本体ｂと記録床連結部ｄは下顎プレート本体固定ネジ２５、２５で着脱可能に固定されている。
【００１２】
図９は、口腔内で最前方に位置する前記描記テーブル９を示す。この描記テーブル９の表面には描記板９ａが形成される。この描記板９ａは、描記テーブル９表面に載置された即時重合レジンなどの可塑材料からなり、前記上顎プレートＡに取付けられた描記ピン１の先端の針と当接して、描記ピン１の動きをゴシックアーチとして記録する。
【００１３】
図１０は下顎プレートＢの断面を示す。前記指導テーブル１０には加工可能な樹脂による指導板１０ａが取付けられる。この指導板１０ａは前記上顎プレートＡに取付けられた指導支柱スタッド２と対応して立体的な傾斜面に形成され、患者固有の切歯路角を記録すると共に、指導支柱スタッド２と当接して滑走させるガイドとなり、運動路記録を記録するための顎運動を誘導する。この指導板１０ａは図１１に示すように指導板固定ネジ２６により指導テーブル１０に連結されている。
【００１４】
又、前記運動路形成テーブル１１、１１にはパテ状のシリコンラバーなどの可塑性のある材料を載置して運動路記録１１ａを形成する。この運動路記録１１ａは、前記指導板１０ａに記録された切歯路角上を指導支柱スタッド２を滑走させながら患者の顎を誘導することにより、上顎プレートＡの補助スタッド３、３が可塑性のシリコンラバー等の上に立体的に彫刻することにより記録形成される。
【００１５】
図１２に示す連結器具Ｃは、連結シャフト１４、上顎プレートサポータ１５、下顎プレートサポータ１６、プレート間隔固定ネジ１７及び下顎プレートＢを連結する連結ネジ１３とで構成されている。この連結器具Ｃ、上顎プレートＡと下顎プレートＢを連結し、図１３及び図１４に示す記録床Ｘ、Ｙに、上顎プレートＡと下顎プレートＢを装着する取付け作業を行うために用いられるものである。上顎プレートＡ、下顎プレートＢがそれぞれ取付けられた記録床Ｘ、Ｙは連結器具Ｃから外されて、セメントなどの接着剤で口腔内に固定される。
【００１６】
【発明が解決しようとする課題】
しかしながら、従来の口腔内記録装置では、ピン装置ｆは、描記板９ａの記録形成工程、ゴシックアーチ描記工程及びチェックバイト採得工程で描記板形成用ピン１９、描記ピン１及び顎固定ピン１８がそれぞれ着脱される構造が複雑であり、弾力材６が破損するなどの故障が生じる問題があった。
【００１７】
指導支柱スタッド２の本体は雄ネジとなっており、指導支柱スタッド２のネジ部を回し、垂直顎間距離を決定し、スタッド固定ネジ８を締めて固定する工程でネジ構造によって指導支柱スタッド２の長さを調節するようにされているが、緩みやすい問題があった。又、指導支柱スタッド２はスタッド固定ネジ８によって、決定された長さを維持するための固定を行うことができるが、スタッド固定ネジ８が緩みやすい欠点があった。
【００１８】
下顎プレートＢの指導板テーブル１０に指導板１０ａを指導板固定ネジ２６で連結する工程で指導板１０ａは、指導テーブル１０に指導板固定ネジ２６によって固定され、調節のために着脱が可能となっているが、ネジが小さく、ネジや調節器具を口腔内に落とすなど、医療事故危険性があった。
【００１９】
描記板９ａは、描記板９ａの記録形成工程で描記板形成用ピン１９で樹脂を用いて作製するようになっているが、作製の操作性が悪く、煩雑であった。又、水平的な位置を一定としたスタートポジションを調整するための連結工程では、連結器具Ｃを用いて上顎プレートＡと下顎プレートＢを連結するが、この連結に際しては連結シャフト１４、上顎プレートサポータ１５、下顎プレートサポータ１６、プレート間隔固定ネジ１７及び連結ネジ１３を使用する必要があるため、操作性が悪く煩雑であった。
【００２０】
本発明は、これらの問題点に鑑みてなされたもので、上顎プレートと、下顎プレート及びこれらを連結する連結器具とから成り、前記上顎プレートは、Ｕ字形をした上顎プレート本体の中央部に位置する、指導描記板に軌跡を形成する指導支柱スタッドを連結するための下方に開口された連結孔及び連結器具を連結するための下方に開口されたスタッド取付孔と、上顎プレート本体の中央部の前方に延出された前端部の先端に位置する、指導描記板に軌跡を形成する、描記ピン、描記板形成用ピン及び顎固定ピンの内のいずれかを取付けるための下向きに開口された描記ピン取付孔と、上顎プレート本体のＵ字形の後端部に位置する、対称的にそれぞれ下向きに突設されて二個の運動路を形成する補助スタッドとを備え、
【００２１】
前記下顎プレートは、Ｕ字形をした下顎プレート本体の中央部に位置する、指導描記板又は連結器具を連結するための連結孔と、下顎プレート本体のＵ字形の後端部に位置する、対称的にそれぞれ設けられた運動路形成テーブルとを備え、
【００２２】
前記連結器具は、上顎プレートと連結するためのスタッドを備えた上顎プレート連結部と、下顎プレートと連結するためのスタッドを備えた下顎プレート連結部と、上顎プレート連結部と下顎プレート連結部とを連結するためのプレート間隔固定ネジとを備え、
【００２３】
前記上顎プレートに設けられた、連結孔、スタッド取付孔、描記ピン取付孔及び前記下顎プレートに設けられた連結孔、描記ピン、描記板形成用ピン、顎固定ピンそれぞれ全部がマグネットによって形成されていることを特徴とする。
【００２４】
この発明では描記板形成用ピン１９、描記ピン１及び顎固定ピン１８が、それぞれマグネットによって描記ピン取付孔４０に固定されるため、着脱が簡単で、ネジ締めなどの煩雑な操作を要しない。
【００２５】
また、指導支柱スタッド２は、連結孔２７のマグネットにより固定されるため、顎間隔の調節のための着脱が簡単で、操作の煩雑さがなく、臨床の調整時間が短縮される。
【００２６】
従来、下顎プレートＢに別々に設けられていた指導テーブル１０と、描記板テーブル９を合体し指導描記板３３としたことにより、着脱工程が一度ですむと共に、下顎プレートＢとの取付けが連結孔３６ａ、３６ｂ、３６ｃのマグネットにより固定されるため着脱が簡単にできる。
【００２７】
このため臨床での指導板１０ａの位置調整工程および記録形成工程と、描記板９ａの記録形成工程、ゴシックアーチ描記工程及びチェックバイト採得工程における口腔からの着脱がすばやく行うことができる。
【００２８】
又、指導描記板３３の前方にある描記板部３３ｂには、着脱可能に金属描記板部３４を取付け、描記ピン１と金属描記板部３４との通電を検出することを可能とし、前歯部に遮られてチェックバイト採得工程の小穴が確認できない時も電気検知器２００（図１５参照）によりブザー音などで確認できる。
【００２９】
更に、上顎プレートＡと下顎プレートＢを連結器具Ｃを用いて連結し、上下、水平的な位置を一定としたスタートポジションを調整するための連結工程、調整工程及び連結解除工程が、マグネットによる着脱により簡単に行える。更に連結器具Ｃは、プレート間隔固定ネジ１７を緩めるだけで上顎プレート連結部２９と下顎プレート連結部３０に分離できるようになされており、連結解除が短時間で行える。
【００３０】
【発明の実施の形態】
本発明の実施の形態を図面に従って詳細に説明する。尚、従来技術と同様の機能形態には同一符号を付して重複する説明を省略する。
【００３１】
図１に示す本発明の実施の形態の口腔内記録装置は、口蓋の湾曲に近似した立体的な形態とし、更に中央から後方にかけてくり抜いた幅の狭いＵ字形態をした上顎プレートＡと、中央から後方にかけてくり抜いた幅の狭いＵ字形態をした下顎プレートＢ及びこれらを連結する連結器具Ｃから構成されている。
【００３２】
この上顎プレートＡ及び下顎プレートＢをＵ字形状とすることにより、上顎プレートＡを口蓋に密着して取付けられると共に、下顎プレートＢも上方に位置し舌が圧迫されることを防止できる。又、下顎プレートＢのくり抜かれた部分に患者の舌を収めることが可能となり、下顎プレートＢによって舌が圧迫されたり、又記録時に舌の圧力によって下顎プレートＢが持ち上げられることを防いでいる。
【００３３】
図２（ａ）に示すように、上顎プレートＡは、上顎プレート本体ａのほぼ中央に、指導支柱スタッド２を連結するための下方に開口されたマグネットで形成された連結孔２７と、連結器具Ｃを連結するための下方に開口されたマグネットで形成されたスタッド取付孔２８と、上顎プレート本体ａの前方に延出された前端部ｅの先端に描記ピン１を取付けるための下向きに開口されたマグネットで形成された描記ピン取付孔４０と、上顎プレート本体ａの後端部に対称的にそれぞれ下向きに突設された二個の運動路を記録するための補助スタッド３、３とを備えている。
【００３４】
図２（ａ）に示す指導支柱スタッド２は、突端に回転球４を有し、前記連結孔２７にマグネットで着脱可能に固定され、前記指導板１０ａ形成工程、運動路記録形成工程、描記板形成工程及びゴシックアーチ描記工程において下顎プレートＢの指導テーブル部３３ａと当接して可塑性材料に軌跡を形成すると共に、指導板１０ａ上を滑走して顎運動を誘導する。
【００３５】
又、運動路形成補助スタッド３、３は同様に突端に回転球４を有し、運動路記録形成工程において下顎プレートＢの運動路形成テーブル１１、１１と当接して可塑性材料９に軌跡を形成して運動路記録１１ａ、１１ａを記録作製する。又、描記板形成工程及びゴシックアーチ描記工程において下顎プレートＢの運動路記録１１ａ、１１ａ上を滑走して顎運動を誘導する。
【００３６】
描記ピン１は、マグネットで形成された描記ピン取付孔４０に挿入して着脱可能に固定される。描記ピン１の取付長さは、間に長さの異なるピンスペーサー２０（図３（ｅ）参照）を挟むことにより簡単に行うことが可能にしてある。
【００３７】
この描記ピン取付孔４０には、描記板９ａの記録形成工程では描記板形成用ピン１９が取付けられ、ゴシックアーチ描記工程では描記ピン１が取付けられ、チェックバイト採得工程では顎固定ピン１８が取付けられる。このように各々の工程で使用するピンを容易に着脱交換することができる（図示せず）。
【００３８】
図２（ｃ）に示す、下顎プレートＢは、Ｕ字形をした下顎プレート本体ｂの中央部に、指導描記板３３、又は連結器具Ｃを連結するマグネットで形成された連結孔３６ａ、３６ｂ、３６ｃと、下顎プレート本体ｂ（７）Ｕ字形の後端部に対称的にそれぞれ運動路形成テーブル１１、１１とを備えている。この図２（ｃ）では連結孔３６ａ、３６ｂ、３６ｃの上部に指導描記板３３がマグネットで着脱可能に取付けられている。
【００３９】
前記指導描記板３３は、後方の指導テーブル部３３ａと、前方の描記板部３３ｂが一体化されている。この指導テーブル部３３ａは前記指導板１０ａ形成工程において指導板１０ａが載置され、上顎プレートＡの指導支柱スタッド２と対応させるものである。描記板部３３ｂには描記板９ａが載置され、描記板９ａの記録形成工程では描記板形成用ピン１９と対応し、ゴシックアーチ描記工程では描記ピン１と対応し、チェックバイト採得工程では顎固定ピン１８と対応させて夫々の操作を行う。
【００４０】
運動路形成テーブル１１、１１は、パテ状のシリコンラバーなどの可塑性材料を載置し、前記運動路形成工程で上顎プレートＡの運動路形成補助スタッド３、３と対応、当接して立体的に運動路記録１１ａを彫刻記録して作製する。
【００４１】
図２（ｂ）に示す連結器具Ｃは、上顎プレートＡと連結するためのスタッド３１ａ，３１ｂを備えた上顎プレート連結部２９と、下顎プレートＢと連結するためのスタッド３２ａ，３２ｂ、３２ｃを備えた下顎プレート連結部３０と、その上顎プレート連結部２９と下顎プレート連結部３０とを連結するプレート間隔固定ネジ１７とから構成されている。
【００４２】
この連結器具Ｃは、上顎プレートＡと下顎プレートＢを連結し、上顎プレートＡと記録床Ｘおよび下顎プレートＢと記録床Ｙを上下、水平的な位置を一定としたスタートポジションに調整する。最適な位置に調整した後に即時重合レジンなどの結合剤で固定するため前記連結工程及び調整結合工程で調節性咬合器１００と共に位置決めのために使用される。
【００４３】
これらの工程の後、上顎プレートＡと下顎プレートＢを分解する連結解除工程で、プレート間隔固定ネジ１７を緩めるだけで上顎プレート連結部２９と下顎プレート連結部３０に分離できるようになされており、連結解除が短時間で行える。
【００４４】
前記上顎プレートＡに設けられた連結孔２７、スタッド取付孔２８及び描記ピン取付孔４０並びに、前記下顎プレートＢに設けられた連結孔３６ａ、３６ｂ、３６ｃの一部又は全体がマグネットによって形成されていることから前記口腔内記録操作の各々の作業が簡単に短時間に行える。
【００４５】
又、描記板形成用ピン１９、描記ピン１及び顎固定ピン１８が、それぞれマグネットによって描記ピン取付孔４０に固定されるため、着脱が簡単で、ネジ締めなどの煩雑な操作を要しない。
【００４６】
指導支柱スタッド２は、連結孔２７のマグネットにより固定されるため、顎間隔の調節のための着脱が簡単で、操作の煩雑さがなく、臨床の調整時間が短縮される。
【００４７】
更に従来、下顎プレートＢに別々に設けられていた指導板テーブル１０と、描記板テーブル９を合体し指導描記板３３としたことにより、着脱工程が一度で済むと共に、下顎プレートＢとの取付けが連結孔３６ａ、３６ｂ、３６ｃのマグネットにより固定されるため着脱が簡単にできる。
【００４８】
このため臨床での指導板１０ａの位置調整工程及び記録形成工程と、描記板９ａの記録形成工程、ゴシックアーチ描記工程及びチェックバイト採得工程における口腔からの着脱がすばやく行うことができる。
【００４９】
又、指導描記板３３の前方にある描記板部３３ｂには、着脱可能に金属描記板部３４を取付け、描記ピン１と金属描記板部３４との通電を検出することを可能とし、前歯部に遮られてチェックバイト採得工程の小穴が確認できない時も電気検知器２００（図１５参照）によりブザー音などで確認できる。
【００５０】
【発明の効果】
以上詳しく述べた如く、本発明の口腔内記録装置によれば以下の効果を有している。即ち、上顎プレートＡ及び下顎プレートＢをＵ字形形態とすることにより、上顎プレートＡを口蓋に密着して取付けられると共に、下顎プレートＢも上方に位置し舌が圧迫されることを防止できる。又、下顎プレートＢのくり抜かれた部分に患者の舌を収めることが可能となり、下顎プレートＢによって舌が圧迫されたり、又記録時に舌の圧力によって下顎プレートＢが持ち上げられることを防いでいるため精密な測定記録が行える。
【００５１】
前記上顎プレートＡに設けられた連結孔２７、スタッド取付孔２８及び描記ピン取付孔４０並びに、前記下顎プレートＢに設けられた連結孔３６ａ、３６ｂ、３６ｃの一部又は全体がマグネットによって形成されており、ネジ類を一切使用していないことから前記口腔内記録操作の各々の作業が簡単に短時間に行える。
【００５２】
具体的には描記板形成用ピン１９、描記ピン１及び顎固定ピン１８が、それぞれマグネットによって描記ピン取付孔４０に固定されるため、着脱が簡単で、交換のたびのネジ締めなどの煩雑な操作を要しない。
【００５３】
指導支柱スタッド２は、連結孔２７のマグネットにより固定されるため、顎間隔の調節のための着脱が簡単で、操作の煩雑さがなく、臨床の調整時間が短縮される。
【００５４】
連結解除工程でプレート間隔固定ネジ１７を緩めるだけで上顎プレート連結部２９と下顎プレート連結部３０に分離できるようになり連結解除が短時間で行える。
【００５５】
更に従来、下顎プレートＢに別々に設けられていた指導板テーブル１０と、描記板テーブル９を合体し指導描記板３３としたことにより、着脱工程が一度で済むと共に、下顎プレートＢとの取付けが連結孔３６ａ、３６ｂ、３６ｃのマグネットにより固定されるため着脱が簡単にできる。
【００５６】
このため臨床での指導板１０ａの位置調整工程および記録形成工程と、描記板９ａの記録形成工程、ゴシックアーチ描記工程及びチェックバイト採得工程における口腔からの着脱がすばやく行うことができる。
【００５７】
又、指導描記板３３の前方にある描記板部３３ｂには、着脱可能に金属描記板部３４を取付け、描記ピン１と金属描記板部３４との通電を検出することを可能とし、前歯部に遮られてチェックバイト採得工程の小穴が確認できない時も電気検知器２００によりブザー音などで確認できる。
【図面の簡単な説明】
【図１】本発明の実施の形態の口腔内記録装置の斜視図。
【図２】図１の連結を解除した同装置を示し、（ａ）は上顎プレートＡ、（ｂ）は連結器具Ｃ、（ｃ）は下顎プレートＢの斜視図。
【図３】（ａ）は上顎プレートＡの平面図、（ｂ）はその底面図、（ｃ）は顎固定ピン、（ｄ）は描記板形成用ピン、（ｅ）はピンスペーサーの正面図。
【図４】（ａ）は下顎プレートＢの平面図、（ｂ）はその平面図。
【図５】従来技術の上顎プレートＡの平面図。
【図６】図５のＩＩＡ−ＩＩＡ線による一部断面を示す正面図。
【図７】従来技術のピン装置の部分拡大断面図。
【図８】従来技術の下顎プレートＢの右側面図。
【図９】従来技術の描記板の断面図。
【図１０】従来技術の下顎プレートＢの表面上に描記板、指導板、顎運動路を形成した断面図。
【図１１】従来技術の指導板の斜視図。
【図１２】（ａ）従来技術の連結器具の平面図、（ｂ）その正面図。
【図１３】従来技術の上顎プレートの上顎内における位置を示す斜視図。
【図１４】従来技術の下顎プレートの下顎内における位置を示す斜視図。
【図１５】従来技術の電気検知器との接続を示す模式図。
【図１６】調節性咬合器を示す斜視図。
【符号の説明】
Ａ    上顎プレート
Ｂ    下顎プレート
ａ    上顎プレート本体
ｂ    下顎プレート本体
Ｃ    連結器具
ｄ    下顎プレートの記録床連結部
ｅ    上顎プレート本体の前端部
ｆ    ピン装置
ｇ    下顎プレート本体の前端部
ｈ    ピン保持装置
Ｘ    上顎記録床
Ｙ    下顎記録床
ｍ    マグネット
１    描記ピン
２    指導支柱スタッド
３    運動路形成補助スタッド
４    回転球
５    ピンストッパー
６    弾力材
７    弾力材止
８    スタッド固定ネジ
９    描記テーブル
９ａ  描記板
１０    指導テーブル
１０ａ  指導板
１１    運動路形成テーブル
１１ａ  運動路記録
１２    金属線連結部
１３    連結ネジ
１４    連結シャフト
１５    上顎プレートサポータ
１６    下顎プレートサポータ
１７    プレート間隔固定ネジ
１８    顎固定ピン
１９    描記板形成用ピン
２０    ピンスペーサー
２３    ピン用スプリング
２４    円筒状保持部
２５    下顎プレート本体固定ネジ
２６    指導板固定ネジ
２７    上顎連結孔
２８    スタッド取付孔
２９    上顎プレート連結部
３０    下顎プレート連結部
３１ａ、ｂ  スタッド
３２ａ、ｂ、ｃ  スタッド
３３    指導描記板
３３ａ  指導板部
３３ｂ  描記板部
３４    金属描記板部
３５    金属描記板取付ネジ
３５ａ  ネジ孔
３６ａ、ｂ、ｃ  下顎連結孔
３６ｍ  下顎連結マグネット部
４０    描記ピン取付孔
４０ｍ  ピン連結マグネット部
【図１】
0004427682.tif 000002
【図２】
0004427682.tif 000003
【図３】
0004427682.tif 000004
【図４】
0004427682.tif 000005
【図５】
0004427682.tif 000006
【図６】
0004427682.tif 000007
【図７】
0004427682.tif 000008
【図８】
0004427682.tif 000009
【図９】
0004427682.tif 000010
【図１０】
0004427682.tif 000011
【図１１】
0004427682.tif 000012
【図１２】
0004427682.tif 000013
【図１３】
0004427682.tif 000014
【図１４】
0004427682.tif 000015
【図１５】
0004427682.tif 000016
【図１６】
0004427682.tif 000017